(57)【要約】【課題】所望の形状寸法の呼び樋を簡単且つ確実に、しかも、傷つけたり破損させたりしないように施工することができる呼び樋の施工方法を提供する。【解決手段】断面略コ字型の呼び樋保護カバー１を、その前端を軒先部位Ａに取着固定し、その後端を外壁部位Ｂに取着固定して軒下部位Ｃで前後略水平方向に架設し、次に、この呼び樋保護カバー１の両側で、軒下部位Ｃに複数並設された野縁２の下側に軒天井板３を取着固定して、この両側の軒天井板３間に同呼び樋保護カバー１を下方へ露出させ、その後、呼び樋保護カバー１内に下方から呼び樋４を収容して、この呼び樋４の前端部５を軒樋６に接続し、同呼び樋４の後端部７に竪樋８を接続する。【選択図】　　　　　図１
2004084218.tif 000002
【特許請求の範囲】
【請求項１】
下方へ開口した断面略コ字型の呼び樋保護カバーの前端を軒先部位に取着固定する共に、同呼び樋保護カバーの後端を外壁部位に取着固定して、この呼び樋保護カバーを軒下部位で前後略水平方向に架設し、次に、前記呼び樋保護カバーの両側で、軒下部位に複数並設された野縁の下側に軒天井板を取着固定して、この両側の軒天井板間に同呼び樋保護カバーを下方へ露出させ、その後に、前記呼び樋保護カバー内に下方から呼び樋を収容して、この呼び樋の前端部を軒樋に接続すると共に、同呼び樋の後端部に竪樋を接続する呼び樋の施工方法。
【請求項２】
呼び樋保護カバーの上板部の前端を軒先部位の鼻板部の下側に取着固定し、同呼び樋保護カバーの上板部の後端を外壁部位に設けた上下の支持部材間で挟持させて取着固定することを特徴とする請求項１記載の呼び樋の施工方法。
【請求項３】
呼び樋保護カバーの後端部分を断面略ロ字型にして枠状支持部を形成し、この枠状支持部に呼び樋の後端部を嵌合保持させることを特徴とする請求項１又は２記載の呼び樋の施工方法。
【請求項４】
呼び樋を偏平な形状に形成して、この呼び樋の外側底面と軒天井板の下面とを略面一状に連続させることを特徴とする請求項１〜３のいずれか一つに記載の呼び樋の施工方法。
【発明の詳細な説明】
【０００１】
【発明の属する技術分野】
本発明は、呼び樋を軒下部位に納めて、この呼び樋を前後の軒樋及び竪樋と接続する呼び樋の施工方法に関するものである。
【０００２】
【従来の技術】
従来から、図５に示す如く、下方へ開口した断面略コ字型の樋支持天井材３３を軒下部位Ｃで前後略水平方向に設け、この樋支持天井材３３内に下方から呼び樋４を嵌め込み取り付けて、この呼び樋４の前端部５を軒樋６に接続すると共に、同呼び樋４の後端部７に竪樋８を接続し、この呼び樋４の両側では、軒下部位Ｃに複数並設された野縁２の下側に軒天井板３を取着固定してなる呼び樋の取り付け構造は知られている。この呼び樋の取り付け構造は、特開２０００−６４５３６号公報に開示されたものである。この場合、樋支持天井材３３はその両側の野縁２間に装着固定されている。
【０００３】
したがって、この呼び樋の取り付け構造においては、呼び樋４が軒下部位Ｃに埋設されて外観良く仕舞われ、同呼び樋４を樋支持天井材３３内に下方から嵌め込んで容易に取り付けることができる。又、施工後に、呼び樋４を樋支持天井材３３から下方へ取り外して、容易にそのメンテナンスを行うこともできる。
【０００４】
【発明が解決しようとする課題】
しかしながら、上記従来の技術にあっては、下方へ開口した断面略コ字型の樋支持天井材３３がその両側の野縁２間に装着固定されるものであるため、野縁２の配設位置によって同樋支持天井材３３内に嵌め込み取り付けられる呼び樋４の施工位置が限定されてしまい、しかも、この呼び樋４の巾寸法も同野縁２間の間隔寸法によって決定されてしまい、同呼び樋４の施工部位や形状寸法に多くの制約を受けるという問題があった。又、呼び樋４を樋支持天井材３３内に嵌め込み取り付けて施工した後に、野縁２の下側に軒天井板３を取着固定する工事が行われる場合、同呼び樋４を傷つけ破損させてしまうという問題もあった。
【０００５】
本発明は、上記従来の技術における問題を悉く解決するために発明されたもので、その課題は、所望の形状寸法の呼び樋を、野縁の配設位置や間隔にとらわれずに簡単且つ確実に、しかも、傷つけたり破損させたりしないように施工することができる呼び樋の施工方法を提供することである。
【０００６】
【課題を解決するための手段】
本発明の請求項１記載の呼び樋の施工方法は、下方へ開口した断面略コ字型の呼び樋保護カバーの前端を軒先部位に取着固定する共に、同呼び樋保護カバーの後端を外壁部位に取着固定して、この呼び樋保護カバーを軒下部位で前後略水平方向に架設し、次に、前記呼び樋保護カバーの両側で、軒下部位に複数並設された野縁の下側に軒天井板を取着固定して、この両側の軒天井板間に同呼び樋保護カバーを下方へ露出させ、その後に、前記呼び樋保護カバー内に下方から呼び樋を収容して、この呼び樋の前端部を軒樋に接続すると共に、同呼び樋の後端部に竪樋を接続するものである。
【０００７】
したがって、この場合、呼び樋保護カバーの前端を軒先部位に、後端を外壁部位に各々取着固定することで、この呼び樋保護カバーを軒下部位で前後略水平方向に架設しているため、同呼び樋保護カバーは野縁の配設位置や間隔にとらわれずに簡単且つ確実に取り付け支持される。そして、前記呼び樋保護カバーの両側で、軒下部位に複数並設された野縁の下側に軒天井板を取着固定する工事が行われる。その後に、前記両側の軒天井板間で下方へ露出する呼び樋保護カバー内に下方から呼び樋を収容して、この呼び樋の前端部を軒樋に、後端部に竪樋を各々接続する施工を行うことができる。
【０００８】
すなわち、この施工方法では、軒天井板を取着固定する工事を行った後に呼び樋の施工が行われるので、この呼び樋を傷つけたり破損させたりしないように施工することができる。しかも、呼び樋保護カバーが野縁の配設位置や間隔にとらわれずに簡単且つ確実に取り付け支持されることで、呼び樋も同様に野縁の配設位置や間隔にとらわれずに施工され、この呼び樋はその形状寸法に自由度が増して同呼び樋保護カバー内に簡単且つ確実に取り付けられるようになり、そのメンテナンスも容易に行われるようになる。
【０００９】
本発明の請求項２記載の呼び樋の施工方法は、上記請求項１記載の呼び樋の施工方法において、呼び樋保護カバーの上板部の前端を軒先部位の鼻板部の下側に取着固定し、同呼び樋保護カバーの上板部の後端を外壁部位に設けた上下の支持部材間で挟持させて取着固定することを特徴とするものである。
【００１０】
したがって、この場合は特に、呼び樋保護カバーの上板部の前端を軒先部位の鼻板部の下側に、同上板部の後端を外壁部位に設けた上下の支持部材間で挟持させて、各々取着固定するので、この呼び樋保護カバーはより簡単且つ確実に取り付け支持されるようになる。
【００１１】
本発明の請求項３記載の呼び樋の施工方法は、上記請求項１又は２記載の呼び樋の施工方法において、呼び樋保護カバーの後端部分を断面略ロ字型にして枠状支持部を形成し、この枠状支持部に呼び樋の後端部を嵌合保持させることを特徴とするものである。
【００１２】
したがって、この場合は特に、呼び樋保護カバーの後端部分を断面略ロ字型にして枠状支持部が容易に形成され、この枠状支持部に呼び樋の後端部を嵌合保持させて、同呼び樋の後端部を簡単且つ確実に支持させることができる。
【００１３】
本発明の請求項４記載の呼び樋の施工方法は、上記請求項１〜３のいずれか一つに記載の呼び樋の施工方法において、呼び樋を偏平な形状に形成して、この呼び樋の外側底面と軒天井板の下面とを略面一状に連続させることを特徴とするものである。
【００１４】
したがって、この場合は特に、偏平な形状の呼び樋の外側底面と軒天井板の下面とが略面一状に連続されるので、同呼び樋は軒下部位に違和感なく外観良好に納められる。
【００１５】
【発明の実施の形態】
図１〜４は、本発明の請求項１〜４全てに対応した一実施形態である呼び樋の施工方法を示している。この呼び樋の施工方法では、下方へ開口した断面略コ字型の呼び樋保護カバー１の前端を軒先部位Ａに取着固定する共に、同呼び樋保護カバー１の後端を外壁部位Ｂに取着固定して、この呼び樋保護カバー１を軒下部位Ｃで前後略水平方向に架設する。
【００１６】
次に、前記呼び樋保護カバー１の両側で、軒下部位Ｃに複数並設された野縁２の下側に軒天井板３を取着固定して、この両側の軒天井板３間に同呼び樋保護カバー１を下方へ露出させる。その後に、前記呼び樋保護カバー１内に下方から呼び樋４を収容して、この呼び樋４の前端部５を軒樋６に接続すると共に、同呼び樋４の後端部７に竪樋８を接続するものである。
【００１７】
又、この実施形態の呼び樋の施工方法では、呼び樋保護カバー１の上板部９の前端を軒先部位Ａの鼻板部１０の下側に取着固定し、同呼び樋保護カバー１の上板部１０の後端を外壁部位Ｂに設けた上下の支持部材１１間で挟持させて取着固定するものである。しかも、呼び樋保護カバー１の後端部分を断面略ロ字型にして枠状支持部１２を形成し、この枠状支持部１２に呼び樋４の後端部７を嵌合保持させるものである。更に、呼び樋４を偏平な形状に形成して、この呼び樋４の外側底面１３と軒天井板３の下面とを略面一状に連続させるものである。
【００１８】
以下、この実施形態の呼び樋の施工方法を、より詳細に説明する。建物の軒下部位Ｃには、複数の野縁２が一定間隔で並設されている。野縁２は木質角材でなり、軒下部位Ｃで前後方向にして、軒先部位Ａと外壁部位Ｂとの間に架設固定されている。この場合、野縁２の前端は軒先部位Ａの鼻板部１０に取着され、同野縁２の後端は外壁部位Ｂの外壁下地面１５に取着されている。
【００１９】
呼び樋保護カバー１は合成樹脂や金属でなり、呼び樋４の外周形状に沿った形状で、下方へ開口した断面略コ字型に形成されていて、同呼び樋４を保護する強度を有している。呼び樋保護カバー１は、その略全長にわたって断面略コ字型であるが、その後端部分のみが断面略ロ字型とされて枠状支持部１２が形成されている。この枠状支持部１２は横長矩形枠形状で前後に開口し、この中に前方から呼び樋４の後端部７が挿入嵌合される。なお、呼び樋４を取り付ける作業は、後述する軒天井板３を取着固定する工事の後に行われる。
【００２０】
又、前記枠状支持部１２の上板部９の後端は、外壁部位Ｂに設けた上下の支持部材１１間で挟持される。この支持部材１１は木片や樹脂製ブロック片等でなり、外壁部位Ｂの外壁下地面１５に上下に間隔をあけて取着固定されていて、同間隔に枠状支持部１２の上板部９の後端が挿入係止されて容易に挟持される。なお、上下の支持部材１１は、両者の間に枠状支持部１２の上板部９の後端を挿入係止する間隔が設けられるようにして、一体に形成されても良い。
【００２１】
他方、呼び樋保護カバー１の上板部９の前端は、軒先部位Ａの鼻板部１０の下面に釘、ネジ等の止め具１４で取着固定される。この場合、前記の如く、呼び樋保護カバー１の後端側を挟持させた状態で、同呼び樋保護カバー１の前端側を止め具１４で楽に取着固定することができる。このように、呼び樋保護カバー１は軒下部位Ｃで前後の軒先部位Ａと外壁部位Ｂとの間に架設固定され、野縁２の間であれば所望の位置に簡単且つ確実に取り付けられる。
【００２２】
次に、前記呼び樋保護カバー１の両側で、軒下部位Ｃに複数並設された前記野縁２の下側に無機質板や木質板等でなる軒天井板３を取着固定する。その際、両側の軒天井板３間には呼び樋保護カバー１が下方へ露出される。その後に、前記呼び樋保護カバー１内に下方から呼び樋４を収容して、この呼び樋４の前端部５を軒樋６に接続すると共に、同呼び樋４の後端部７に竪樋８を接続するものである。このように、この実施形態の呼び樋の施工方法では、軒天井板３を取着固定する工事を行った後に、呼び樋４を接続する施工が行われる。
【００２３】
ところで、軒樋６は合成樹脂や金属等で形成され、上方へ開口した断面略コ字状である。この軒樋６は、前方へ傾倒しその外面側が断面略階段形状に形成された前壁部１６と、この前壁部１６よりも低い直立状の後壁部１７と、同前壁部１６及び後壁部１７をその下端部分で連続させる平坦状の底部１８と、でなる。それ故、降り落ちる雨が軒樋６の前壁部１６で確実に受けられ、この受けられた雨水は同前壁部１６の傾斜に沿い後方へと流れて、呼び樋４から排水され易いものである。
【００２４】
又、軒樋６の後壁部１７には、その下端に沿って同軒樋６の底部１８内面と連続する横長矩形状の排水開口１９が形成される。この排水開口１９は、通常は施工現場において、排水接続具２０の外周径よりも若干大きめに開口形成される。そして、排水開口１９には、その前方から排水接続具２０が挿入して取り付けられる。排水接続具２０の前端部分にはフランジ片２１が一体に形成されており、このフランジ片２１の背面が軒樋６の内面に当接される。その際、フランジ片２１の背面と軒樋６の内面との間は、接着剤が介在されて、接着結合されると両者の間は密閉される。
【００２５】
前記排水接続具２０の後端部分には接続筒部２２が一体に形成されており、呼び樋４の前端部５はこの接続筒部２２に挿入嵌合されて接続される。呼び樋４はブロー成形により合成樹脂で一体に形成されたもので、その外側底面１３が平坦状となっている。そして、呼び樋４は軒樋６の後方へ略水平に突設され、この軒樋６の底部１８下側面と同呼び樋４の外側底面１３とは略同一高さとなって略水平に連設される。呼び樋４の後端部７は閉塞されており、前記呼び樋保護カバー１の枠状支持部１２に前方から挿入嵌合されて保持され、同呼び樋４は前記軒樋１とこの枠状支持部１２とによって前後で確実に支持され取り付けられる。
【００２６】
この場合、外壁部位Ｂでは、図３に示す如く、呼び樋４の後端部７は枠状支持部１２に前後方向スライド自在に嵌合保持されていて、同呼び樋４の熱による伸縮が吸収される。又、呼び樋４の後端部７の近傍には接続排水筒部２３が一体に垂下突設されており、この接続排水筒部２３に落とし口継手２４を介して竪樋８の上端部分が嵌合接続される。この場合は、落とし口継手２４に竪樋８の上端部分が、水漏れしないよう外嵌め状態で上下方向スライド自在に嵌合されていて、同竪樋８の熱による伸縮が吸収される。
【００２７】
又、図２に示す如く、竪樋８は円筒形状で、外壁部位Ｂの外壁下地面１５に取着固定される竪樋支持具２５によって保持されるものである。なお、外壁部位Ｂの外壁下地面１５には外装材２６が施工されており、この外装材２６に竪樋支持具２５は貫通固定され、同外装材２６の上端部分には、前記呼び樋保護カバー１の後端部分の枠状支持部１２、及び、軒天井板３の後端部分が接合されて支持固定される。
【００２８】
他方、軒先部位Ａでは、鼻板部１０の前面に鼻先カバー板２７が取着固定されており、この鼻先カバー板２７の前側に形成される取付支持部２８に軒樋支持具２９が嵌合固定され、この軒樋支持具２９によって前記軒樋６は同軒先部位Ａに吊り下げ支持されている。又、この場合には、鼻先カバー板２７に貫通開口３０が形成され、この貫通開口３０を通して、前記呼び樋４と軒樋６とが排水接続具２０を介して連設接続されるものである。
【００２９】
そして、鼻先カバー板２７の下端には前片３１と後片３２とが前後に略水平方向に突設されており、この前片３１と後片３２とで同鼻先カバー板２７全体は断面略逆Ｔ字型に形成されている。この場合は、前片３１によって軒樋６の底部１８と軒下部位Ｃの下側面とが略面一状に連続されると共に、両者間の隙間は下方から見えないように隠される。又、後片３２上には軒天井板３の前端部分が係止されて支持され、この軒天井板３と前記軒樋６の底部１８とは略面一状に連続される。
【００３０】
したがって、この実施形態の呼び樋の施工方法においては、呼び樋保護カバー１の前端を軒先部位Ａに、後端を外壁部位Ｂに各々取着固定することで、この呼び樋保護カバー１を軒下部位Ｃで前後略水平方向に架設しているため、同呼び樋保護カバー１は野縁２の配設位置や間隔にとらわれずに簡単且つ確実に取り付け支持される。
【００３１】
そして、前記呼び樋保護カバー１の両側で、軒下部位Ｃに複数並設された野縁２の下側に軒天井板３を取着固定する工事が行われる。その後に、前記両側の軒天井板３間で下方へ露出する呼び樋保護カバー１内に下方から呼び樋４を収容して、この呼び樋４の前端部５を軒樋６に、後端部７に竪樋８を各々接続する施工を行うことができる。
【００３２】
すなわち、この施工方法では、軒天井板３を取着固定する工事を行った後に呼び樋４の施工が行われるので、この呼び樋４を傷つけたり破損させたりしないように施工することができる。しかも、呼び樋保護カバー１が野縁２の配設位置や間隔にとらわれずに簡単且つ確実に取り付け支持されることで、呼び樋４も同様に野縁２の配設位置や間隔にとらわれずに施工され、この呼び樋４はその形状寸法に自由度が増して同呼び樋保護カバー１内に簡単且つ確実に取り付けられるようになり、そのメンテナンスも容易に行われるようになる。
【００３３】
又、この実施形態の呼び樋の施工方法においては、呼び樋保護カバー１の上板部９の前端を軒先部位Ａの鼻板部１０の下側に、同上板部９の後端を外壁部位Ｂに設けた上下の支持部材１１間で挟持させて、各々取着固定するため、例えば、この呼び樋保護カバー１の後端側を挟持させた状態で、手前側にて楽に取着固定作業を行うことができ、同呼び樋保護カバー１はより簡単且つ確実に取り付け支持されるようになる。
【００３４】
更に、この実施形態の呼び樋の施工方法においては、呼び樋保護カバー１の後端部分を断面略ロ字型にして枠状支持部１２が容易に形成され、この枠状支持部１２に呼び樋４の後端部７を嵌合保持させて、同呼び樋４の後端部７を簡単且つ確実に支持させることができる。又、偏平な形状の呼び樋４の平坦な外側底面１３と軒天井板３の下面とが略面一状に連続されるので、同呼び樋４は軒下部位Ｃに違和感なく外観良好に納められる。
【００３５】
【発明の効果】
上述の如く、本発明の請求項１記載の呼び樋の施工方法においては、軒天井板を取着固定する工事を行った後に呼び樋の施工が行われるので、この呼び樋を傷つけたり破損させたりしないように施工することができる。しかも、呼び樋は野縁の配設位置や間隔にとらわれずに施工され、この呼び樋はその形状寸法に自由度が増して呼び樋保護カバー内に簡単且つ確実に取り付けられるようになる。
【００３６】
又、本発明の請求項２記載の呼び樋の施工方法においては、特に、呼び樋保護カバーの上板部の前端を軒先部位の鼻板部の下側に、同上板部の後端を外壁部位に設けた上下の支持部材間で挟持させて、各々取着固定するので、この呼び樋保護カバーはより簡単且つ確実に取り付け支持されるようになる。
【００３７】
又、本発明の請求項３記載の呼び樋の施工方法においては、特に、呼び樋保護カバーの後端部分を断面略ロ字型にして枠状支持部が容易に形成され、この枠状支持部に呼び樋の後端部を嵌合保持させて、同呼び樋の後端部を簡単且つ確実に支持させることができる。
【００３８】
又、本発明の請求項４記載の呼び樋の施工方法においては、特に、偏平な形状の呼び樋の外側底面と軒天井板の下面とが略面一状に連続されるので、同呼び樋は軒下部位に違和感なく外観良好に納められる。
【図面の簡単な説明】
【図１】本発明の一実施形態の呼び樋の施工方法における全体構成を示す概略分解斜視図。
【図２】同呼び樋の施工方法における全体構成を示す縦断面図。
【図３】同呼び樋の施工方法における要部構成を拡大して示す縦断面図。
【図４】同呼び樋の施工方法における呼び樋と呼び樋保護カバーとの取付関係を示す斜め上後方からみた概略斜視図。
【図５】従来例である呼び樋の取り付け構造を示す概略分解斜視図。
【符号の説明】
１　呼び樋保護カバー
２　野縁
３　軒天井板
４　呼び樋
５　前端部
６　軒樋
７　後端部
８　竪樋
９　上板部
１０　鼻板部
１１　支持部材
１２　枠状支持部
１３　外側底面
Ａ　軒先部位
Ｂ　外壁部位
Ｃ　軒下部位
【図１】
2004084218.tif 000003
【図２】
2004084218.tif 000004
【図３】
2004084218.tif 000005
【図４】
2004084218.tif 000006
【図５】
2004084218.tif 000007